(57)【特許請求の範囲】
【請求項１】
（１）ヘッド、テール及びチャンバーを有するボディ、
（２）このチャンバーに内蔵された第一重錘
及び
（３）このチャンバーに内蔵され、第一重錘よりも大きく、かつ第一重錘よりも前方に位置する第二重錘
を備えており、
上記ボディが、その内部に段差部を備えており、
水中において、第一重錘及び第二重錘が段差部よりも前に位置し、段差部によって第一重錘の後方への移動が阻止され、第一重錘によって第二重錘の後方への移動が阻止されることにより、ヘッド寄りの重心が達成され、
キャスト時に第一重錘及び第二重錘が段差部よりも後ろに位置することで、テール寄りの重心が達成されるルアー。
【請求項２】
上記第一重錘が球状であり、上記第二重錘が円柱状である請求項１に記載のルアー。
【請求項３】
上記第一重錘の直径に対する第二重錘の直径の比が１．５／１．０以上である請求項２に記載のルアー。
【請求項４】
上記ボディに内蔵されており、かつ実質的に前後方向に延在するガイドワイヤをさらに備えており、
上記ワイヤが上記第二重錘を貫通しており、
上記第二重錘がワイヤに案内されて前後に移動しうる請求項１から３のいずれかに記載のルアー。
【請求項５】
上記チャンバーが前チャンバー及び後チャンバーからなり、
この後チャンバーの内寸が前チャンバーの内寸よりも小さく、
キャスト時に第一重錘が後チャンバーに位置し第二重錘が前チャンバーに位置する請求項１から４のいずれかに記載のルアー。
【請求項６】
上記第一重錘の直径が段差部のサイズよりも大きい請求項１から５のいずれかに記載のルアー。
【発明の詳細な説明】
【技術分野】
【０００１】
本発明は、釣りに用いられるルアーに関する。詳細には、本発明は、重心移動式のルアーに関する。
【背景技術】
【０００２】
オオクチバス、ブリ及びその幼魚、スズキ等の大型の魚は、ベイトとして小魚を補食する。これら大型の魚は、フィッシュイーターと称されている。フィッシュイーターを捕獲する手段として、ルアーフィッシングが普及している。ルアーフィッシングでは、ルアーが用いられる。ルアーには、ラインが連結される。キャストによりルアーは空中を飛行し、やがて着水する。ラインが巻かれることで、ルアーは水中を泳ぐ。このルアーをベイトと勘違いしたフィッシュイーターは、ルアーに食いつく。ルアーに取り付けられたフックがフィッシュイーターに刺さり、フィッシュイーターが釣り上げられる。
【０００３】
釣り人が、ルアーを遠方へキャストしたいと望むことがある。前述のように、ルアーは空中を飛行する。飛行時には、ルアーは空気抵抗を受ける。空気抵抗の小さなルアーは、遠方へとキャストされうる。
【０００４】
前述のようにフィッシュイーターは、ルアーをベイトと勘違いすることによりこのルアーに食いつく。フィッシュイーターの勘違いを誘う水中姿勢及びアクションが達成されるルアーが好ましい。
【０００５】
特開２００７−２０９２２９公報には、重心移動式のルアーが開示されている。このルアーでは、ボディに内蔵された重錘が前後方向に移動しうる。空中を飛行するとき、重錘は後側（つまりテール側）に位置する。換言すれば、飛行時のルアーの重心は、テール寄りである。このルアーは、テールを先頭にして飛行する。この飛行姿勢における空気抵抗は小さいので、ルアーは遠方へとキャストされうる。着水後、重錘は前側（つまりヘッド側）へと移動する。水中では、重錘はヘッド側に保持される。換言すれば、水中でのルアーの重心は、ヘッド寄りである。この重心位置は、ルアーの水中姿勢及びアクションに寄与する。このルアーでは、重錘がヘッド側に保持される手段として、磁石が用いられている。段差によって重錘がヘッド側に保持されるルアーも、市販されている。
【先行技術文献】
【特許文献】
【０００６】
【特許文献１】特開２００７−２０９２２９公報
【発明の概要】
【発明が解決しようとする課題】
【０００７】
従来のルアーでは、重心の移動距離は十分には大きくない。釣り人は、水中での姿勢及びアクションが適正で、かつさらに大きな飛距離が得られるルアーを望んでいる。
【０００８】
本発明の目的は、重心が大幅に移動するルアーに関する。
【課題を解決するための手段】
【０００９】
本発明に係るルアーは、
（１）ヘッド、テール及びチャンバーを有するボディ、
（２）このチャンバーに内蔵された第一重錘
及び
（３）このチャンバーに内蔵され、第一重錘よりも大きく、かつ第一重錘よりも前方に位置する第二重錘
を備える。ボディは、その内部に段差部を備える。水中において、第一重錘及び第二重錘が段差部よりも前に位置し、段差部によって第一重錘の後方への移動が阻止され、第一重錘によって第二重錘の後方への移動が阻止されることにより、ヘッド寄りの重心が達成される。キャスト時に第一重錘及び第二重錘が段差部よりも後ろに位置することで、テール寄りの重心が達成される。
【００１０】
好ましくは、第一重錘は球状であり、第二重錘は円柱状である。好ましくは、第一重錘の直径に対する第二重錘の直径の比は、１．５／１．０以上である。
【００１１】
好ましくは、ルアーは、ボディに内蔵されており、かつ実質的に前後方向に延在するガイドワイヤをさらに備える。このワイヤは、第二重錘を貫通している。第二重錘は、ワイヤに案内されて前後に移動しうる。
【００１２】
好ましくは、チャンバーは、前チャンバー及び後チャンバーからなる。後チャンバーの内寸は、前チャンバーの内寸よりも小さい。キャスト時には、第一重錘が後チャンバーに位置し、第二重錘が前チャンバーに位置する。
【発明の効果】
【００１３】
本発明に係るルアーでは、段差部が第一重錘の乗り越えを阻止する。第一重錘は小さいので、段差部のサイズも小さい。従って、大きな第二重錘を内蔵しうる。この第二重錘の移動により、重心位置が大幅に移動する。このルアーでは、重心の移動距離が大きい。このルアーでは、キャスト時に大きな飛距離が得られうる。このルアーでは、水中において、適正な姿勢及びアクションが得られうる。
【図面の簡単な説明】
【００１４】
【図１】図１は、本発明の一実施形態に係るルアーがライン及びフックと共に示された説明図である。
【図２】図２は、図１のルアーが示された拡大断面図である。
【図３】図３は、図２のIII−III線に沿った拡大断面図である。
【図４】図４は、図１のルアーの一部が示された断面図である。
【図５】図５は、図１のルアーの一部が示された断面図である。
【図６】図６は、本発明の他の実施形態に係るルアーの一部が示された断面図である。
【発明を実施するための形態】
【００１５】
以下、適宜図面が参照されつつ、好ましい実施形態に基づいて本発明が詳細に説明される。
【００１６】
図１から３に示されたルアー２は、ボディ４、ラインアイ６、３つのフックアイ８、ガイドワイヤ１０、第一重錘１２及び第二重錘１４を備えている。図１には、ライン１６及び３つのフック１８も示されている。ルアー２がリップを備えてもよい。
【００１７】
ボディ４は、ベイトである小魚に類似の外形を有する。図２に示されるように、ボディ４は中空である。ボディ４は、メインフレーム２０、前プレート２２、後プレート２４、上プレート２６及び下プレート２８からなる。メインフレーム２０は、ヘッド３０及びテール３２を有する。上プレート２６は、前後方向に延在している。下プレート２８は、前後方向に延在している。下プレート２８は、主部３４、段差部３６及び受け部３８を備えている。前プレート２２、後プレート２４、上プレート２６及び下プレート２８により、チャンバー４０が形成されている。典型的には、ボディ４は合成樹脂からなる。好ましい合成樹脂は、ＡＢＳ樹脂である。ボディ４が金属材料又は木質材料からなってもよい。
【００１８】
ラインアイ６及びフックアイ８は、それぞれ、金属線が曲げられることによって形成されている。金属線の典型的な材質は、ステンレススチールである。金属線の一部はボディ４に埋設されており、残余の部分はボディ４から露出している。埋設により、ラインアイ６及びフックアイ８がボディ４に固定されている。図１に示されるように、ラインアイ６には、ライン１６が連結される。スプリットリングを介して、ラインアイ６にライン１６が連結されてもよい。フックアイ８には、スプリットリング４２を介して、フック１８が取り付けられている。
【００１９】
図２に示されるように、ガイドワイヤ１０はチャンバー４０に内蔵されている。ガイドワイヤ１０は、概して前後方向に延在している。ガイドワイヤ１０の前端は、前プレート２２に固定されている。ガイドワイヤ１０の後端は、後プレート２４に固定されている。ガイドワイヤ１０は、金属線からなる。ガイドワイヤ１０の典型的な材質としては、スチール、ステンレススチール及びニッケル−チタン合金が例示される。
【００２０】
第一重錘１２は、チャンバー４０に内蔵されている。第一重錘１２は、球状である。図２では、第一重錘１２は下プレート２８の上に載っている。第一重錘１２とガイドワイヤ１０との間には、微小な隙間が存在している。第一重錘１２は、チャンバー４０の中を、前後方向に移動しうる。第一重錘１２の比重は、ボディ４の比重よりも大きい。第一重錘１２の材質としては、鉛、鉛合金、真鍮、タングステン、タングステン合金、スチール及びステンレススチールが例示される。
【００２１】
第二重錘１４は、チャンバー４０に内蔵されている。第二重錘１４は、第一重錘１２よりも大きい。第二重錘１４は、第一重錘１２よりも重い。第二重錘１４は、第一重錘１２よりも前方に位置している。第二重錘１４は、円柱状である。図３に示されるように、第二重錘１４は孔４４を備えている。この孔４４は、第二重錘１４の前面４６（図２参照）から後面４８まで貫通している。この孔４４に、ガイドワイヤ１０が通されている。孔４４の内径は、ガイドワイヤ１０の径よりも若干大きい。孔４４の内周面がガイドワイヤ１０に対して擦れることにより、第二重錘１４は、チャンバー４０の中を前後方向に移動しうる。第二重錘１４は、ガイドワイヤ１０に案内されつつ移動する。第二重錘１４の比重は、ボディ４の比重よりも大きい。第二重錘１４の材質としては、鉛、鉛合金、真鍮、タングステン、タングステン合金、スチール及びステンレススチールが例示される。
【００２２】
図４には、ルアー２の一部が示されている。図４では、ルアー２は前下がりである。第一重錘１２及び第二重錘１４は、段差部３６よりも前に位置している。第一重錘１２は、受け部３８の上にある。第二重錘１４は、前プレート２２に当接している。
【００２３】
図５にも、ルアー２の一部が示されている。図５では、ルアー２は起立している。第一重錘１２及び第二重錘１４は、段差部３６よりも後に位置している。第一重錘１２は、後プレート２４に当接している。第二重錘１４は、第一重錘１２に当接している。
【００２４】
キャストされたルアー２は飛行し、着水する。ライン１６が引かれることにより、ルアー２が水中を進行する。このとき、ヘッド３０（又はリップ）が水圧を受けるので、図４に示されるように、ルアー２はテール３２よりもヘッド３０が下にある姿勢で泳ぐ。従って、ガイドワイヤ１０は前下がりである。第二重錘１４は、ガイドワイヤ１０に案内されつつ前方へと移動する。第二重錘１４は、前プレート２２に当接する。第一重錘１２は、チャンバー４０内を転動し、前方へと移動する。チャンバー４０の内面と第二重錘１４との隙間が小さいので、移動のとき、第一重錘１２が第二重錘１４を追い抜くことはない。第一重錘１２は段差部３６を通過し、受け部３８に落ちる。第一重錘１２及び第二重錘１４は、図４に示された位置に収まる。図４に示された状態では、ヘッド３０寄りの重心が達成されている。この重心位置は、水中でのルアー２にとって適正な位置である。重心位置が適正であるルアー２は、水中で適正な姿勢を保つ。重心位置が適正であるルアー２がライン１６で引かれると、このルアー２は良好なアクションを起こす。このルアー２は、フィッシュイーターにアピールする。
【００２５】
水中において、ルアー２が一時的に、水平姿勢や、やや前上がりな姿勢となる場合がある。この場合でも、段差部３６が、第一重錘１２の後方への移動を阻止する。さらに、第一重錘１２が、第二重錘１４の後方への移動を阻止する。このルアー２では、適正な重心が保たれる。第一重錘１２は、自らが「重錘」としての役割を果たすと共に、第二重錘１４の移動を阻止する手段としても機能する。
【００２６】
リトリーブが終了すると、釣り人はロッドを立てて、ルアー２を水中からピクアップする。ライン１６はラインアイ６に連結されており、このラインアイ６はボディ４の前端に位置しているので、図５に示されるようにルアー２が起立する。さらにルアー２は、ピンクアップによって振動する。起立と振動とにより、第一重錘１２が段差部３６を乗り越え、テール３２に向かって移動する。第一重錘１２は、後プレート２４に当接する。第一重錘１２による規制が解除された第二重錘１４は、ガイドワイヤ１０に案内されつつ後方へと移動する。移動のとき、第二重錘１４が第一重錘１２を追い抜くことはない。第一重錘１２及び第二重錘１４は、図５に示された位置に収まる。図５に示された状態では、テール３２寄りの重心が達成されている。このルアー２がキャストされると、遠心力と慣性とにより、第一重錘１２及び第二重錘１４がテール３２寄りの位置をキープしたまま、ルアー２が飛行する。ルアー２は、テール３２を先頭にした姿勢で飛行する。このときの空気抵抗は、小さい。このルアー２では、大きな飛距離が得られる。
【００２７】
このルアー２では、水中において第一重錘１２の乗り越えが阻止されうるように、段差部３６のサイズＳ（図２参照）が決定される。第一重錘１２は小さいので、比較的小さな段差部３６により、乗り越えが阻止されうる。小さな段差部３６は、ボディ４の体高が小さいルアー２にも、形成されうる。段差部３６が小さいので、チャンバー４０は、第二重錘１４のための十分なスペースを有する。このルアー２は、大きな第二重錘１４を有しうる。第二重錘１４が大きいとき、この第二重錘１４の移動によって重心は大幅に移動する。このルアー２では、従来のルアーでは達成不可能な程度の重心移動距離が、達成されうる。
【００２８】
第一重錘１２の直径Ｄ１（図３参照）の、段差部３６のサイズＳに対する比率は、５０％以上７５％以下が好ましい。この比率が５０％以上であるルアー２では、水中において段差部３６が第一重錘１２の移動を阻止しうる。この観点から、この比率は５５％以上が特に好ましい。この比率が７５％以下であるルアー２では、起立したときに第一重錘１２が段差部３６を容易に乗り越える。この観点から、この比率は６５％以下が特に好ましい。
【００２９】
段差部３６の容易な形成と、大幅な重心移動距離とが両立されるとの観点から、第一重錘１２の直径Ｄ１に対する第二重錘１４の直径Ｄ２（図３参照）の比（Ｄ２／Ｄ１）は（１．５／１．０）以上が好ましく、（２．０／１．０）以上が特に好ましい。
【００３０】
この実施形態では、ガイドワイヤ１０は、前プレート２２及び後プレート２４の両方に固定されている。前プレート２２のみに、ガイドワイヤ１０が固定されてもよい。後プレート２４のみに、ガイドワイヤ１０が固定されてもよい。
【００３１】
この実施形態では、前プレート２２、後プレート２４、上プレート２６及び下プレート２８によってチャンバー４０が形成されている。上プレート２６が設けられず、メインフレーム２０がチャンバーの上面を構成してもよい。下プレート２８が設けられず、メインフレーム２０がチャンバーの下面を構成してもよい。
【００３２】
図６には、本発明の他の実施形態に係るルアー５２の一部が示されている。このルアー５２は、ボディ５４、ラインアイ（図示されず）、フックアイ８、ガイドワイヤ１０、第一重錘１２及び第二重錘１４を備えている。ボディ５４は、メインフレーム２０、前プレート２２（図２参照）、第一後プレート５６、第二後プレート５８、第一上プレート６０、第二上プレート６２及び下プレート２８からなる。第一上プレート６０と下プレート２８との間は、前チャンバー６４である。第二上プレート６２と下プレート２８との間は、後チャンバー６６である。このルアー５２のチャンバー６４、６６以外の構成は、図１に示されたルアー２のそれと同一である。前チャンバー６４は、図２に示されたルアー２と同様の段差部３６を備えている。
【００３３】
後チャンバー６６は、前チャンバー６４よりも後方に位置している。前チャンバー６４と後チャンバー６６との間には、第一後プレート５６によって段差が生じている。後チャンバー６６の内寸は、前チャンバー６４の内寸よりも小さい。
【００３４】
図６では、ルアー５２は起立している。第一重錘１２及び第二重錘１４は、重力によって後方に位置している。第一重錘１２は小さいので、後チャンバー６６に浸入している。第一重錘１２は、第二後プレート５８に当接している。第二重錘１４は大きいので、後チャンバー６６には浸入し得ない。第二重錘１４は、第一後プレート５６に当接している。図５に示されたルアー２に比べ、第一重錘１２の位置は後方である。従って、このルアー５２では、重心位置が極めて後方にある。このルアー５２がキャストされると、極めて大きな飛距離が得られる。
【００３５】
水中でルアー５２が前下がりになると、第一重錘１２及び第二重錘１４が前進する。第一重錘１２及び第二重錘１４が段差部３６の前方に位置することで、適正な重心位置が達成される。ガイドワイヤ１０と第二重錘１４との摩擦力によって第二重錘１４が前進しない場合、後チャンバー６６内を前進した第一重錘１２が第二重錘１４に衝突する。この衝突の衝撃により、第二重錘１４が前進を開始する。第一重錘１２は、第二重錘１４の前進を促す役割を果たす。
【産業上の利用可能性】
【００３６】
本発明に係るルアーは、湖沼、池、ダム、川、海等の種々のフィールドでの釣りに適している。
【符号の説明】
【００３７】
２、５２・・・ルアー
４、５４・・・ボディ
１０・・・ガイドワイヤ
１２・・・第一重錘
１４・・・第二重錘
２０・・・メインフレーム
２２・・・前プレート
２４・・・後プレート
２６・・・上プレート
２８・・・下プレート
３０・・・ヘッド
３２・・・テール
３４・・・主部
３６・・・段差部
３８・・・受け部
４０・・・チャンバー
４４・・・孔
５６・・・第一後プレート
５８・・・第二後プレート
６０・・・第一上プレート
６２・・・第二上プレート
６４・・・前チャンバー
６６・・・後チャンバー
【図１】
0005530677.tif 000002
【図２】
0005530677.tif 000003
【図３】
0005530677.tif 000004
【図４】
0005530677.tif 000005
【図５】
0005530677.tif 000006
【図６】
0005530677.tif 000007